(57)【要約】【課題】ポンプやファン、ひいては、ポンプやファンを駆動するための電源の使用を必要とせず、かつ、ラドン濃度の測定対象である空気の入れ換えを容易に行うことができるラドン濃度測定装置を提供する。【解決手段】ラドン濃度測定装置１００は、ラドン濃度測定器本体１１０と、ラドン濃度の測定対象の空気を取り込む空気取り込み器具１２０と、ラドン濃度測定器本体１１０の下方に配置され、空気取り込み器具１２０を支持する底面１３２を有する支持具１３０と、からなる。空気取り込み器具１２０は、ラドン濃度測定器本体１１０及び支持具１３０に対して開閉可能であるように摺動可能な引き出し構造を有している。空気取り込み器具１２０は、閉じた横断面を形成する周壁１２１を有し、かつ、上下方向に開放されている。【選択図】図１
2010008140.tif 000002
【特許請求の範囲】
【請求項１】
ラドン濃度測定器本体と、
ラドン濃度の測定対象である空気を取り込む測定対象用空気取り込み器具と、
前記ラドン濃度測定器本体の下方に配置され、前記測定対象用空気取り込み器具を支持する底面を有する支持具と、
からなり、
前記測定対象用空気取り込み器具は、前記ラドン濃度測定器本体及び前記支持具に対して開閉可能であるように摺動可能な引き出し構造を有しており、
前記測定対象用空気取り込み器具は、閉じた横断面を形成する周壁を有し、かつ、上下方向に開放されており、
前記測定対象用空気取り込み器具を前記ラドン濃度測定器本体及び前記支持具に対して閉じたときには、前記測定対象用空気容器取り込み器具は前記ラドン濃度測定器本体及び前記支持具とともにラドン濃度の測定対象である前記空気を取り囲む密閉空間を形成するものであるラドン濃度測定装置。
【請求項２】
ラドン濃度測定器本体と、
ラドン濃度の測定対象である空気を取り込む測定対象用空気取り込み器具と、
前記ラドン濃度測定器本体の下方に配置され、前記測定対象用空気取り込み器具を支持する支持具と、
からなり、
前記測定対象用空気取り込み器具は、前記ラドン濃度測定器本体及び前記支持具に対して開閉可能であるように摺動可能な引き出し構造を有しており、
前記測定対象用空気取り込み器具は、閉じた横断面を形成する周壁と、前記周壁に対する底面と、を有しており、
前記底面は前記周壁に対して開閉可能に形成されており、
前記測定対象用空気取り込み器具を前記ラドン濃度測定器本体及び前記支持具に対して閉じたときには、前記測定対象用空気容器取り込み器具は前記ラドン濃度測定器本体とともにラドン濃度の測定対象である前記空気を取り囲む密閉空間を形成するものであるラドン濃度測定装置。
【請求項３】
前記周壁は矩形状の横断面を形成するものであることを特徴とする請求項１または２に記載のラドン濃度測定装置。
【請求項４】
前記測定対象用空気取り込み器具を前記ラドン濃度測定器本体及び前記支持具に対して閉じた状態に維持する留め具手段をさらに備えることを特徴とする請求項１乃至３の何れか一項に記載のラドン濃度測定装置。
【請求項５】
前記測定対象用空気取り込み器具を前記ラドン濃度測定器本体及び前記支持具に対して閉じる方向に前記測定対象用空気取り込み器具を付勢する付勢手段をさらに備えることを特徴とする請求項１乃至４の何れか一項に記載のラドン濃度測定装置。
【請求項６】
前記測定対象用空気取り込み器具を前記ラドン濃度測定器本体及び前記支持具に対して開いた状態に保持する保持手段をさらに備えることを特徴とする請求項５に記載のラドン濃度測定装置。
【発明の詳細な説明】
【技術分野】
【０００１】
本発明はラドン濃度測定装置に関する。
【背景技術】
【０００２】
リアルタイムで、あるいは、短時間（例えば、約１時間）のうちに、屋内外空気中のラドン濃度を測定する場合、通常、いわゆる「アクティブ法」を採用したラドン濃度測定装置が用いられる。
【０００３】
「アクティブ法」を採用したラドン濃度測定装置においては、ラドン濃度を測定する対象である空気がポンプやファンを用いて連続的に取り込まれ、ラドン濃度が測定される。
【０００４】
しかしながら、ポンプやファンを用いてラドン濃度測定対象の空気をラドン濃度測定装置に取り込むためには、ポンプやファンを駆動する電力を供給する電源が必要となり、ラドン濃度測定装置の複雑化または大型化を避けることができない。
【０００５】
このため、ポンプやファンを使用せず、ひいては、商用電源の使用を必要としないラドン濃度測定装置が、例えば、特開平１０−１８６０３６号公報（特許文献１）に記載されている。
【０００６】
図１０は、同公報に記載されているラドン濃度測定装置の構造を示す概略図である。
【０００７】
図１０に示すラドン濃度測定装置５００は、入射窓５０１を有する容器５１０と、容器５１０内に配置され、ラドン娘核種５２１を捕集する捕集用電極５２０と、捕集用電極５２０に捕集されたラドン娘核種５２１から放出されるα線５２２を検出する放射線検出器５３０と、捕集用電極５２０に電圧を供給する高電圧電源５４０と、放射線検出器５３０に接続されたシングルチャンネルアナライザー（ＳＣＡ）５５０と、シングルチャンネルアナライザー（ＳＣＡ）５５０に接続されたカウンター５６０と、から構成されている。
【０００８】
図１０に示すラドン濃度測定装置５００は以下のようにして作動する。
【０００９】
ラドン濃度の測定対象となる空気はフィルター（図示せず）を介して入射窓５０１から容器５１０内に入れられる。
【００１０】
ラドンは約３．８日の半減期でラドン娘核種に壊変する。このラドン娘核種は正に帯電しているため、電場を形成することにより、電気的に捕集することができる。捕集用電極５２０には高電圧電源５４０を介して高電圧が印加されているため、ラドン娘核種は捕集用電極５２０に捕集される。
【００１１】
捕集用電極５２０に捕集されたラドン娘核種からはα線５２２が放出され、このα線５２２は放射線検出器５３０により検出される。放射線検出器５３０は、例えば、エネルギー弁別可能なシリコン半導体検出器あるいはプラスチックシンチレーション検出器からなる。
【００１２】
放射線検出器５３０はα線５２２を検出すると、検出信号をシングルチャンネルアナライザー（ＳＣＡ）５５０に出力する。
【００１３】
シングルチャンネルアナライザー（ＳＣＡ）５５０は、エネルギー弁別によりバックグラウンドノイズを消し、カウンター５６０から一定時間の積算計数を求め、ラドン濃度を算出する。
【特許文献１】特開平１０−１８６０３６号公報
【発明の開示】
【発明が解決しようとする課題】
【００１４】
以上のように、図１０に示したラドン濃度測定装置５００によれば、ラドン濃度測定対象の空気を容器５１０内に取り込むために、ポンプやファン、ひいては、ポンプやファンを駆動するための電源の使用を必要としない。
【００１５】
しかしながら、ラドン濃度測定装置５００の容器５１０には入射窓５１１が一つしか設けられていないため、ラドン濃度測定装置５００には、ラドン濃度の測定対象となる空気の入れ換え、すなわち、既にラドン濃度を測定した空気を容器５１０から排出し、新たな空気を容器５１０に導入することが極めて困難であるという問題点があった。
【００１６】
本発明はこのような問題点に鑑みてなされたものであり、ポンプやファン、ひいては、ポンプやファンを駆動するための電源の使用を必要とせず、かつ、ラドン濃度の測定対象である空気の入れ換えを容易に行うことができるラドン濃度測定装置を提供することを目的とする。
【課題を解決するための手段】
【００１７】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１８】
上記の目的を達成するため、本発明は、ラドン濃度測定器本体（１１０）と、ラドン濃度の測定対象である空気を取り込む測定対象用空気取り込み器具（１２０）と、前記ラドン濃度測定器本体（１１０）の下方に配置され、前記測定対象用空気取り込み器具（１２０）を支持する底面（１３２）を有する支持具（１３０）と、からなり、前記測定対象用空気取り込み器具（１２０）は、前記ラドン濃度測定器本体（１１０）及び前記支持具（１３０）に対して開閉可能であるように摺動可能な引き出し構造を有しており、前記測定対象用空気取り込み器具（１２０）は、閉じた横断面を形成する周壁（１２１）を有し、かつ、上下方向に開放されており、前記測定対象用空気取り込み器具（１２０）を前記ラドン濃度測定器本体（１１０）及び前記支持具（１３０）に対して閉じたときには、前記測定対象用空気容器取り込み器具（１２０）は前記ラドン濃度測定器本体（１１０）及び前記支持具（１３０）とともにラドン濃度の測定対象である前記空気を取り囲む密閉空間を形成するものであるラドン濃度測定装置（１００）を提供する。
【００１９】
本発明は、さらに、ラドン濃度測定器本体（１１０）と、ラドン濃度の測定対象である空気を取り込む測定対象用空気取り込み器具（１２０）と、前記ラドン濃度測定器本体（１１０）の下方に配置され、前記測定対象用空気取り込み器具（１２０）を支持する支持具（１３０）と、からなり、前記測定対象用空気取り込み器具（１２０）は、前記ラドン濃度測定器本体（１１０）及び前記支持具（１３０）に対して開閉可能であるように摺動可能な引き出し構造を有しており、前記測定対象用空気取り込み器具（１２０）は、閉じた横断面を形成する周壁（１２１）と、前記周壁（１２１）に対する底面（１２６）と、を有しており、前記底面（１２６）は前記周壁（１２１）に対して開閉可能に形成されており、前記測定対象用空気取り込み器具（１２０）を前記ラドン濃度測定器本体（１１０）及び前記支持具（１３０）に対して閉じたときには、前記測定対象用空気容器取り込み器具（１２０）は前記ラドン濃度測定器本体（１１０）とともにラドン濃度の測定対象である前記空気を取り囲む密閉空間を形成するものであるラドン濃度測定装置（２００）を提供する。
【００２０】
前記周壁（１２１）は矩形状の横断面を形成するものであることが好ましい。
【００２１】
本発明に係るラドン濃度測定装置（３００）は、前記測定対象用空気取り込み器具（１２０）を前記ラドン濃度測定器本体（１１０）及び前記支持具（１３０）に対して閉じた状態に維持する留め具手段（３１０）をさらに備えることができる。
【００２２】
本発明に係るラドン濃度測定装置（４００）は、前記測定対象用空気取り込み器具（１２０）を前記ラドン濃度測定器本体（１１０）及び前記支持具（１３０）に対して閉じる方向に前記測定対象用空気取り込み器具（１２０）を付勢する付勢手段（４１０）をさらに備えることができる。
【００２３】
本発明に係るラドン濃度測定装置（５００）は、前記測定対象用空気取り込み器具（１２０）を前記ラドン濃度測定器本体（１１０）及び前記支持具（１３０）に対して開いた状態に保持する保持手段（５１０）をさらに備えることができる。
【発明の効果】
【００２４】
本発明に係るラドン濃度測定装置によれば、測定対象用空気容器取り込み器具はラドン濃度測定器本体及び支持具に対して「引き出し」と同様の開閉動作を行う。このため、測定対象用空気容器取り込み器具を摺動させ、ラドン濃度測定器本体及び支持具に対して開閉させるだけの動作により、測定対象用空気容器取り込み器具の内部の測定用空気を入れ替えることが可能である。
【００２５】
すなわち、本発明に係るラドン濃度測定装置によれば、ポンプやファン、さらには、ポンプやファンを駆動するための電源の使用を必要とせず、かつ、ラドン濃度の測定対象である空気の入れ換えを容易に行うことができる。
【発明を実施するための最良の形態】
【００２６】
（第一の実施形態）
図１及び図２は本発明の第一の実施形態に係るラドン濃度測定装置１００の斜視図である。
【００２７】
図１に示すように、本実施形態に係るラドン濃度測定装置１００は、ラドン濃度の測定対象である空気に含まれるラドン濃度を検出するラドン濃度測定器本体１１０と、ラドン濃度の測定対象である空気を取り込む測定対象用空気取り込み器具１２０と、ラドン濃度測定器本体１１０の下方に配置され、測定対象用空気取り込み器具１２０を支持する支持具１３０と、を備えている。
【００２８】
ラドン濃度測定器本体１１０は立方体形状をなしており、ラドン濃度測定器本体１１０の下方に配置されている支持具１３０は、ラドン濃度測定器本体１１０の背面から当該背面と同一面内に延びる縦壁１３１と、ラドン濃度測定器本体１１０の下方に位置するように縦壁１３１と垂直に延びる底面１３２と、から構成されている。
【００２９】
支持具１３０の底面１３２はラドン濃度測定器本体１１０の底面と同一の大きさをなしている。すなわち、上方向から見ると、ラドン濃度測定器本体１１０と支持具１３０の底面１３２とは重なり合っている。
【００３０】
このように、支持具１３０は横方向から見てＬ字形状をなしており、ラドン濃度測定器本体１１０の底面と支持具１３０の底面１３２との間には立方体形状の空間が形成されている。後述するように、測定対象用空気取り込み器具１２０は支持具１３０の底面１３２上に支持された状態でこの空間内に出し入れされる構造を有している。
【００３１】
測定対象用空気取り込み器具１２０は、図１に示すように、長方形状の閉じた横断面を形成する周壁１２１により構成されており、上下方向においては開放されている。
【００３２】
周壁１２１により規定される立体形状はラドン濃度測定器本体１１０の底面と支持具１３０の底面１３２との間に形成されている立方体形状の空間と同一の大きさを有している。すなわち、周壁１２１により規定される立体形状の縦及び横の長さ並びに高さはラドン濃度測定器本体１１０の底面と支持具１３０の底面１３２との間に形成されている立方体形状の空間の縦及び横の長さ並びに高さにそれぞれ等しい。
【００３３】
測定対象用空気取り込み器具１２０の前面１２５ａには把手１２２が固定的に取り付けられている。
【００３４】
図１に示すように、支持具１３０の底面１３２上には相互に平行な一対のレール部材１３３が形成されている。一対のレール部材１３３は縦壁１３１と直交する方向に延びている。
【００３５】
測定対象用空気取り込み器具１２０の背面１２５ｂ（把手１２２が形成されている前面１２５ａとは反対側の面）には、一対のレール部材１３３に対応する位置に一対の孔１２３が形成されている。
【００３６】
一対のレール部材１３３は半円形状の縦断面を有しており、孔１２３はレール部材１３３が通過し得る大きさの半円形状をなしている。
【００３７】
測定対象用空気取り込み器具１２０は、一対の孔１２３の各々が一対のレール部材１３３の各々に嵌合することにより、支持具１３０の底面１３２上を摺動可能であるようになっている。すなわち、測定対象用空気取り込み器具１２０は、ラドン濃度測定器本体１１０及び支持具１３０に対して引き出しのように開閉可能である引き出し構造を有している。
【００３８】
図１は測定対象用空気取り込み器具１２０をラドン濃度測定器本体１１０及び支持具１３０に対して開いた状態を示し、図２は測定対象用空気取り込み器具１２０をラドン濃度測定器本体１１０及び支持具１３０に対して完全に閉じた状態を示す。
【００３９】
前述のように、測定対象用空気取り込み器具１２０の周壁１２１により規定される立体形状はラドン濃度測定器本体１１０の底面と支持具１３０の底面１３２との間に形成されている立方体形状の空間と同一の大きさを有している。このため、図２に示すように、測定対象用空気取り込み器具１２０をラドン濃度測定器本体１１０及び支持具１３０に対して閉じたときには（すなわち、測定対象用空気取り込み器具１２０をラドン濃度測定器本体１１０の底面と支持具１３０の底面１３２との間に形成されている立方体形状の空間内に押し入れたときには）、測定対象用空気容器取り込み器具１２０はラドン濃度測定器本体１１０及び支持具１３０とともにラドン濃度の測定対象である空気を取り囲む密閉空間を形成する。
【００４０】
以上のような構造を有する本実施形態に係るラドン濃度測定装置１００は以下のようにして用いられる。
【００４１】
先ず、孔１２３をレール部材１３３に沿わせた状態で測定対象用空気容器取り込み器具１２０を摺動させ、ラドン濃度測定器本体１１０及び支持具１３０に対して開いた状態にする。この場合、例えば、図１に示すように、測定対象用空気容器取り込み器具１２０をラドン濃度測定器本体１１０及び支持具１３０から完全に取り外してもよく、あるいは、例えば、机の引き出しのように、測定対象用空気容器取り込み器具１２０の一部が支持具１３０の底面１３２上に残っているようにしてもよい。
【００４２】
次いで、測定対象用空気容器取り込み器具１２０がラドン濃度測定器本体１１０及び支持具１３０に対して開いた状態を約１分間維持する。
【００４３】
ラドンは空気よりも重たいため、空気中に存在するラドンは空気中を徐々に沈下する傾向にある。
【００４４】
このため、ラドン濃度測定器本体１１０及び支持具１３０に対して開かれた状態にある、測定対象用空気容器取り込み器具１２０の中に空気中に存在するラドンが滞留する。
【００４５】
約１分経過後、測定対象用空気容器取り込み器具１２０を摺動させ、図２に示すように、ラドン濃度測定器本体１１０及び支持具１３０に対して閉じる（すなわち、測定対象用空気取り込み器具１２０をラドン濃度測定器本体１１０の底面と支持具１３０の底面１３２との間に形成されている立方体形状の空間内に押し入れる）。
【００４６】
前述のように、この状態においては、測定対象用空気容器取り込み器具１２０はラドン濃度測定器本体１１０及び支持具１３０とともに、測定対象用空気容器取り込み器具１２０の内部に取り入れた空気を取り囲む密閉空間を形成する。
【００４７】
この後、ラドン濃度測定器本体１１０が測定対象用空気容器取り込み器具１２０の内部に取り入れられた空気中のラドン濃度を測定する。
【００４８】
なお、測定対象用空気容器取り込み器具１２０を引き出してから、ラドン濃度測定装置１００を手に持った状態で、空気中をラドン濃度測定装置１００を約１ｍほど移動させることにより、空気を１００％置換することが可能である。これに要する時間はほんの数秒であり、実際には、上述の約１分の時間を必要とすることはない。また、これにより、空気の１００％置換が可能であるため、空気の交換率を配慮する必要はない。
【００４９】
図３は、ラドン濃度測定器本体１１０の構造の一例を示すブロック図である。
【００５０】
ラドン濃度測定器本体１１０は、例えば、α線検出部１１１と、光電子増倍管１１２と、増幅回路１１３と、中央処理装置（ＣＰＵ）１１４と、ＲＯＭからなる第一メモリー１１５と、ＲＡＭからなる第二メモリー１１６と、表示装置１１７（図１及び図２にも示されている）と、から構成されている。
【００５１】
α線検出部１１１は、例えば、交換が容易な遮光膜を隔てたプラスチック板にＺｎＳ（Ａｇ）シンチレータを塗布したものからなる。
【００５２】
α線検出部１１１が測定対象用空気容器取り込み器具１２０の内部の空気中のラドンに起因するα線を検出すると、そのα線の強度を示す検出信号を発信する。
【００５３】
光電子増倍管１１２はα線検出部１１１から発信された検出信号を受信する。受信された検出信号は増幅回路１１３に送信され、増幅回路１１３において増幅される。
【００５４】
増幅された検出信号はＣＰＵ１１４に送信される。
【００５５】
第一メモリー１０５にはラドン濃度計算用のプログラムが格納されている。ＣＰＵ１１４は検出信号を受信すると、第一メモリー１０５からこのラドン濃度計算用プログラムを読み出し、このラドン濃度計算用プログラムに基づいて、濃度計算を行う。濃度計算は、例えば、第二メモリー１１６を作業領域として行われる。
【００５６】
ＣＰＵ１１４により算出されたラドン濃度は第二メモリー１１６に格納されるとともに、表示装置１１７に表示される。
【００５７】
表示装置１１７は、例えば、液晶表示装置からなり、ラドン濃度測定器本体１１０の前面側に配置されている。
【００５８】
なお、測定対象用空気容器取り込み器具１２０内に沈着して残留したラドンにより、ラドン濃度の測定の正確性が損なわれるおそれがある。このため、第一メモリー１０５に格納されているラドン濃度計算用プログラムにおいては、作動開始を指示する入力操作だけで連続濃度測定が可能であるように、当該測定の直前の５回分の測定による残さを当該測定に対する妨害寄与分として自動的に除去するように設定されている。
【００５９】
ラドン濃度測定器本体１１０によるラドン濃度測定が終了した後（すなわち、表示装置１１７にラドン濃度が表示された後）、測定対象用空気容器取り込み器具１２０を摺動させ、ラドン濃度測定器本体１１０及び支持具１３０に対して開く。
【００６０】
測定対象用空気容器取り込み器具１２０は背面１２５ｂを有しているため、測定対象用空気容器取り込み器具１２０の内部に取り入れられた空気は背面１２５ｂに押されて、全ての空気がラドン濃度測定器本体１１０及び支持具１３０の外側に押し出される。これにより、ラドン濃度の測定が終了した空気は全て排気され、新しい空気と入れ替わる。すなわち、測定対象用空気容器取り込み器具１２０の内部には新しく測定対象となる空気が取り入れられる。
【００６１】
以上のように、本実施形態に係るラドン濃度測定装置１００によれば、測定対象用空気容器取り込み器具１２０を摺動させ、ラドン濃度測定器本体１１０及び支持具１３０に対して開閉させるだけの動作により、測定対象用空気容器取り込み器具１２０の内部の測定用空気を入れ替えることが可能である。すなわち、本実施形態に係るラドン濃度測定装置１００によれば、ポンプやファン、さらには、ポンプやファンを駆動するための電源の使用を必要とせず、かつ、ラドン濃度の測定対象である空気の入れ換えを容易に行うことができる。
【００６２】
なお、本実施形態に係るラドン濃度測定装置１００の構造は上記の構造に限定されるものではなく、種々の改変が可能である。
【００６３】
例えば、測定対象用空気容器取り込み器具１２０の周壁１２１は長方形形状の横断面を形成しているが、周壁１２１が形成する横断面の形状は長方形には限定されない。閉じた断面を形成するものである限りにおいて、周壁１２１が形成する横断面の形状は任意に選定することが可能である。例えば、円、楕円、長方形以外の多角形、一部に曲線を含む形状など任意の形状を選定することが可能であり、このような場合には、測定対象用空気容器取り込み器具１２０の形状に合わせて支持具１３０の形状も変更される。
【００６４】
また、本実施形態に係るラドン濃度測定装置１００においては、一対のレール部材１３３とそれに対応して２個の孔１２３が形成されているが、レール部材１３３及び孔１２３の数は２には限定されない。レール部材１３３及び孔１２３の大きさによってはそれぞれ１個でもよく、あるいは、必要に応じて、３個以上とすることも可能である。
【００６５】
また、本実施形態に係るラドン濃度測定装置１００においては、測定対象用空気容器取り込み器具１２０をラドン濃度測定器本体１１０及び支持具１３０に対して摺動させる機構として一対のレール部材１３３及び一対の孔１２３を用いているが、他の摺動機構を採用することも可能である。
【００６６】
図４は、他の摺動機構の一例を示す、測定対象用空気容器取り込み器具１２０の正面図である。
【００６７】
例えば、図４に示すように、一対のレール部材１３３及び一対の孔１２３を用いることに代えて、支持具１３０の底面１３２の両端にそれぞれガイド用レール１３４を形成する。ガイド用レール１３４は、底面１３２の両端において直立するプレート状の部材である。一対のガイド用レール１３４間の間隔は測定対象用空気容器取り込み器具１２０の横幅（図４の左右方向における長さ）に等しい。
【００６８】
このように、支持具１３０の底面１２３の両端にガイド用レール１３４を設けることによっても、測定対象用空気容器取り込み器具１２０をラドン濃度測定器本体１１０及び支持具１３０に対して摺動させることが可能である。
【００６９】
また、図３に示したラドン濃度測定器本体１１０の構造は一例にすぎない。空気中のラドン濃度を測定することができるものである限りは、どのような構造のラドン濃度測定器であっても、用いることが可能である。
【００７０】
（第二の実施形態）
図５は、本発明の第二の実施形態に係るラドン濃度測定装置２００の斜視図である。
【００７１】
第二の実施形態に係るラドン濃度測定装置２００は、第一の実施形態に係るラドン濃度測定装置１００と比較して、支持具１３０の構造が異なっている点、並びに、測定対象用空気容器取り込み器具１２０の構造が異なっている点を除いて、同一の構造を有している。このため、第一の実施形態に係るラドン濃度測定装置１００と同一の構成要素に対しては同一の参照符号を用いる。
【００７２】
図５に示すように、本実施形態における支持具１３０は、第一の実施形態における底面１３２及び一対のレール部材１３３代えて、一対のガイド部材１３５及び一対のガイド用レール１３４を備えている。
【００７３】
具体的には、一対のガイド部材１３５は縦壁１３１の両端において縦壁１３１に対して直交する方向に延びており、その長さはラドン濃度測定器本体１１０を越えないように設定されている。
【００７４】
一対のガイド部材１３５の各々の外側端部には、図４に示したガイド用レール１３４と同様に、ガイド用レール１３４が取り付けられている。本実施形態に係るラドン濃度測定装置２００においては、測定対象用空気容器取り込み器具１２０は、一対のガイド部材１３５及び一対のガイド用レール１３４に支持された状態において、ラドン濃度測定器本体１１０及び支持具１３０に対して摺動する。
【００７５】
なお、一対のレール部材１３３が形成されていないことに対応して、測定対象用空気容器取り込み器具１２０には孔１２３は形成されていない。
【００７６】
第一の実施形態における測定対象用空気容器取り込み器具１２０は上下方向において開放されているのに対して、本実施形態における測定対象用空気容器取り込み器具１２０には底面１２６が形成されている。
【００７７】
底面１２６は、測定対象用空気容器取り込み器具１２０の周壁１２１に対して、開閉可能に形成されている。
【００７８】
図６は、測定対象用空気容器取り込み器具１２０の構造を示す縦断面図である。
【００７９】
図６に示すように、底面１２６はその一方の縁において周壁１２１の一側面１２５ｃにヒンジ１２７を介して取り付けられている。このため、底面１２６は測定対象用空気容器取り込み器具１２０の底を形成する第一位置（図６において実線で示されている位置）と測定対象用空気容器取り込み器具１２０が無底となるような第二位置（図６において破線で示されている位置）との間をヒンジ１２７を中心として矢印Ｘに示すように回転し得るようになっている。
【００８０】
底面１２６の先端側（ヒンジ１２７に取り付けられている側とは反対側）にはフック部材１２８が取り付けられており、このフック部材１２８は測定対象用空気容器取り込み器具１２０の周壁１２１の一側面１２５ｄに取り付けられている留め具１２９に引っ掛かって係止されるようになっている。
【００８１】
すなわち、フック部材１２８を留め具１２９に引っ掛けることにより、底面１２６をその第一位置（図６において実線で示されている位置）に維持することができるようになっている。
【００８２】
また、フック部材１２８を留め具１２９から外すことにより、底面１２６はヒンジ１２７を中心として回転し、その第二位置（図６において破線で示されている位置）に移行する。
【００８３】
なお、ヒンジ１２７、フック部材１２８及び留め具１２９は測定対象用空気容器取り込み器具１２０の前面に近い位置に配置されており、各ガイド用レール１３４は、測定対象用空気容器取り込み器具１２０が押し込まれてきたときにヒンジ１２７、フック部材１２８及び留め具１２９と干渉しないように、ガイド部材１３５の先端よりも短く形成されている。
【００８４】
本実施形態に係るラドン濃度測定装置２００の使用方法は第一の実施形態に係るラドン濃度測定装置１００と基本的には同一である。
【００８５】
唯一の相違点は、測定対象用空気容器取り込み器具１２０を引き出したときに、フック部材１２８を留め具１２９から外すことにより、底面１２６を第一位置から第二位置まで回転させ、測定対象用空気容器取り込み器具１２０を無底状態にするとともに、測定対象用空気容器取り込み器具１２０を押し入れる前に、底面１２６を第二位置から第一位置まで回転させ、さらに、フック部材１２８を留め具１２９に引っ掛けることにより、底面１２６を第一位置に保持する点である。
【００８６】
本実施形態に係るラドン濃度測定装置２００によっても、第一の実施形態に係るラドン濃度測定装置１００と同一の効果を得ることができる。
【００８７】
さらに、測定対象用空気容器取り込み器具１２０の底面１２６が開閉可能に形成されているため、必要に応じて、測定対象用空気容器取り込み器具１２０を有底状態あるいは無底状態に変更することが可能である。
【００８８】
（第三の実施形態）
図７は、本発明の第三の実施形態に係るラドン濃度測定装置３００の斜視図である。
【００８９】
本実施形態に係るラドン濃度測定装置３００は、第一の実施形態に係るラドン濃度測定装置１００と比較して、測定対象用空気取り込み器具１２０をラドン濃度測定器本体１１０及び支持具１３０に対して閉じた状態に維持する留め具手段３１０をさらに備えている点において異なり、この点以外は同一の構造を有している。このため、第一の実施形態に係るラドン濃度測定装置１００と同一の構成要素に関しては、同一の参照符号を用いる。
【００９０】
留め具手段３１０は、細長のプレート部材からなり、その一端に近い位置（回転中心位置）３１１において、ラドン濃度測定器本体１１０に対して回動可能であるように取り付けられている。
【００９１】
さらに、留め具手段３１０を構成するプレート部材の他端はラドン濃度測定器本体１１０を越えて測定対象用空気取り込み器具１２０に達している。すなわち、留め具手段３１０を構成するプレート部材はラドン濃度測定器本体１１０及び測定対象用空気取り込み器具１２０の双方に渡る長さを有している。
【００９２】
留め具手段３１０は回転中心位置３１１を中心として回転することにより、その先端側が測定対象用空気取り込み器具１２０上にある第一位置（図７において実線で示される位置）とその先端側がラドン濃度測定器本体１１０上にある第二位置（図７において破線で示される位置）との間を移動可能である。
【００９３】
本実施形態に係るラドン濃度測定装置３００によれば、留め具手段３１０をその第一位置（図７において実線で示される位置）に移行させることにより、ラドン濃度測定器本体１１０がラドン濃度の測定を実施している間に、測定対象用空気取り込み器具１２０がラドン濃度測定器本体１１０及び支持具１３０に対して摺動して開いてしまうという事態を防止することができる。
【００９４】
なお、本実施形態に係るラドン濃度測定装置３００においては、回転中心位置３１１がラドン濃度測定器本体１１０上にあるように留め具手段３１０を配置したが、回転中心位置３１１が測定対象用空気取り込み器具１２０上にあるように留め具手段３１０を配置することも可能である。
【００９５】
（第四の実施形態）
図８は、本発明の第四の実施形態に係るラドン濃度測定装置４００における縦壁１３１と測定対象用空気取り込み器具１２０との位置関係を示す平面図（上方から見た図）である。
【００９６】
本実施形態に係るラドン濃度測定装置４００は、第一の実施形態に係るラドン濃度測定装置１００と比較して、付勢手段４１０をさらに備える点においてのみ構造的に異なり、他の点においては同一の構造を有している。このため、第一の実施形態に係るラドン濃度測定装置１００と同一の構成要素に関しては、同一の参照符号を用いる。
【００９７】
本実施形態における測定対象用空気取り込み器具１２０には、背面１２５ｂの両端側（図８の左右方向における両端側）にそれぞれ貫通孔４１１が形成されており、各貫通孔４１１には引張バネからなる付勢手段４１０が通されている。
【００９８】
引張バネからなる付勢手段４１０の一端は縦壁１３１に固定されて、他端は測定対象用空気取り込み器具１２０の内壁に固定されている。
【００９９】
付勢手段４１０は測定対象用空気取り込み器具１２０に対して引張力を及ぼす。すなわち、測定対象用空気取り込み器具１２０は、付勢手段４１０により、常に、ラドン濃度測定器本体１１０及び支持具１３０に対して閉じる方向（すなわち、縦壁１３１に向かう方向）に付勢される。
【０１００】
本実施形態に係るラドン濃度測定装置４００によれば、測定対象用空気取り込み器具１２０はラドン濃度測定器本体１１０及び支持具１３０に対して常に閉じる方向に付勢されている。このため、測定対象用空気取り込み器具１２０の内部に測定対象の空気を取り込んだ後、単に測定対象用空気取り込み器具１２０から手を離すことにより、測定対象用空気取り込み器具１２０は付勢手段４１０の付勢力を受けて、ラドン濃度測定器本体１１０及び支持具１３０に対して閉じる方向に動き、最終的には、図２に示すように、ラドン濃度測定器本体１１０及び支持具１３０に対して閉じる位置に移行する。
【０１０１】
すなわち、本実施形態に係るラドン濃度測定装置４００によれば、測定対象用空気取り込み器具１２０を押し入れる作業が不要となる。
【０１０２】
（第五の実施形態）
上述の第四の実施形態の場合、測定対象用空気取り込み器具１２０は常に付勢手段４１０により縦壁１３１の方向に付勢されているため、測定対象用空気取り込み器具１２０の内部にラドン濃度測定対象の空気を取り入れる間、付勢手段４１０の付勢力に抗して測定対象用空気取り込み器具１２０を手で保持している必要がある。
【０１０３】
本実施形態に係るラドン濃度測定装置５００は、測定対象用空気取り込み器具１２０をラドン濃度測定器本体１１０及び支持具１３０に対して開いた状態に保持する保持手段５１０をさらに備えることにより、測定対象用空気取り込み器具１２０を手で保持することの必要性をなくしている。
【０１０４】
図９は、本実施形態に係るラドン濃度測定装置５００における支持具１３０と測定対象用空気取り込み器具１２０との位置関係を示す縦断面図である。
【０１０５】
図９に示すように、支持具１３０の底面１３２には凹部５０１が形成されている。
【０１０６】
凹部５０１の内部には、凹部５０１の内部を摺動可能なストッパー部材５０２が嵌め込まれている。
【０１０７】
ストッパー部材５０２は、図９に示すように、三角形状の縦断面を有しており、三角形断面の斜辺が縦壁１３１の方向を向くように配置されている。
【０１０８】
さらに、凹部５０１の底面とストッパー部材５０２との間にはバネ５０３が配置されている。バネ５０３はストッパー部材５０２を常に上方に付勢している。
【０１０９】
保持手段５１０はストッパー部材５０２とバネ５０３とから構成されている。
【０１１０】
保持手段５１０は以下のように機能する。
【０１１１】
測定対象用空気取り込み器具１２０がラドン濃度測定器本体１１０及び支持具１３０に対して閉じている状態（図２に示す状態）から測定対象用空気取り込み器具１２０を開く方向に摺動させると、周壁１２１の背面１２５ｂの内壁側１２５Ａが最初にストッパー部材５０２の斜辺と接触する。
【０１１２】
ストッパー部材５０２は斜辺が縦壁１３１の方向を向いているため、周壁１２１の背面１２５ｂが開く方向（図９の右側方向）に移動するにつれて、ストッパー部材５０２がその斜辺を介して下方に押されることになり、バネ５０３の付勢力に抗して、ストッパー部材５０２は凹部５０１の中を下降する。このため、周壁１２１の背面１２５ｂはストッパー部材５０２に移動を止められることなく、ストッパー部材５０２上を通過する。
【０１１３】
周壁１２１の背面１２５ｂがストッパー部材５０２上を通過し終わると、ストッパー部材５０２はバネ５０３の付勢力により上方に移動し、図９に示すように、その頂点は底面１３２よりも高い位置に到達する。
【０１１４】
この段階においては、ストッパー部材５０２の垂辺（図９の上下方向に延びている辺）が周壁１２１の背面１２５ｂの外壁側１２５Ｂに当接している。このため、測定対象用空気取り込み器具１２０は付勢手段４１０の付勢力により縦壁１３１の方向に移動しようとするが、ストッパー部材５０２によりその移動を止められているため、図９に示すように、ストッパー部材５０２と接した位置において停止する。
【０１１５】
すなわち、測定対象用空気取り込み器具１２０をラドン濃度測定器本体１１０及び支持具１３０に対して開いた状態に維持することが可能になる。
【０１１６】
測定対象用空気取り込み器具１２０を閉じる場合には、ストッパー部材５０２を、例えば、指で押して凹部５０１の中に押し込んだ状態において、測定対象用空気取り込み器具１２０を閉じる方向に移動させる。
【０１１７】
このように、本実施形態に係るラドン濃度測定装置５００によれば、付勢手段４１０を設けたとしても、測定対象用空気取り込み器具１２０を開いた状態に維持することができ、ラドン濃度測定用空気を入れ替えている間、測定対象用空気取り込み器具１２０を開いた状態に保持しておくことが不要になる。
【産業上の利用可能性】
【０１１８】
本発明に係るラドン濃度測定装置は種々の環境において使用することが可能である。
【０１１９】
例えば、原子力発電所におけるモニタリング装置の一つとして、建屋内のラドン濃度の測定に用いることができる。
【０１２０】
この他にも、原子力発電所以外の各種建屋内におけるラドン濃度の測定、一般住宅の各部屋におけるラドン濃度の測定、あるいは、トンネル内や地下街におけるラドン濃度の測定に使用することが可能である。
【図面の簡単な説明】
【０１２１】
【図１】図１は本発明の第一の実施形態に係るラドン濃度測定装置の斜視図である。
【図２】図２は本発明の第一の実施形態に係るラドン濃度測定装置の斜視図である。
【図３】図３はラドン濃度測定器本体の構造の一例を示すブロック図である。
【図４】図４は他の摺動機構を備えた測定対象用空気容器取り込み器具の正面図である。
【図５】図５は本発明の第二の実施形態に係るラドン濃度測定装置の斜視図である。
【図６】図６は、発明の第二の実施形態に係るラドン濃度測定装置における測定対象用空気容器取り込み器具の構造を示す縦断面図である。
【図７】図７は本発明の第三の実施形態に係るラドン濃度測定装置の斜視図である。
【図８】図８は、本発明の第四の実施形態に係るラドン濃度測定装置における縦壁と測定対象用空気取り込み器具との位置関係を示す平面図（上方から見た図）である。
【図９】図９は、本発明の第五の実施形態に係るラドン濃度測定装置における支持具と測定対象用空気取り込み器具との位置関係を示す縦断面図である。
【図１０】図１０は、従来のラドン濃度測定装置の構造を示す概略図である。
【符号の説明】
【０１２２】
１００  本発明の第一の実施形態に係るラドン濃度測定装置
１１０  ラドン濃度測定器本体
１１１  α線検出部
１１２  光電子増倍管
１１３  増幅回路
１１４  中央処理装置（ＣＰＵ）
１１５  第一メモリー
１１６  第二メモリー
１１７  表示装置
１２０  測定対象用空気取り込み器具
１２１  周壁
１２２  把手
１２３  孔
１２６  底面
１２７  ヒンジ
１２８  フック部材
１２９  留め具
１３０  支持具
１３１  縦壁
１３２  底面
１３３  レール部材
１３４  ガイド用レール
１３５  ガイド部材
２００  本発明の第二の実施形態に係るラドン濃度測定装置
３００  本発明の第三の実施形態に係るラドン濃度測定装置
３１０  留め具手段
４００  本発明の第四の実施形態に係るラドン濃度測定装置
４１０  付勢手段
５００  本発明の第五の実施形態に係るラドン濃度測定装置
５０１  凹部
５０２  ストッパー部材
５０３  バネ
５１０  保持手段
【図１】
2010008140.tif 000003
【図２】
2010008140.tif 000004
【図３】
2010008140.tif 000005
【図４】
2010008140.tif 000006
【図５】
2010008140.tif 000007
【図６】
2010008140.tif 000008
【図７】
2010008140.tif 000009
【図８】
2010008140.tif 000010
【図９】
2010008140.tif 000011
【図１０】
2010008140.tif 000012